(57)【特許請求の範囲】
【請求項１】
課金機能を有し、接続番号を通知可能な通信回線を介して接続されるホスト装置から送信されてくる曲情報を含む情報を受信する対ホスト通信手段と、
該対ホスト通信手段により受信された前記情報を記憶する情報記憶手段と、
前記記憶された情報に含まれる曲情報を用いて所定の再生処理を実行することにより、曲情報を利用者に利用可能とする情報処理実行手段と
を有するカラオケ装置において、
該カラオケ装置の設置場所に対応する場所データに相当する接続番号を前記通信回線を介して取得する場所データ取得手段と、
前記ホスト装置とは異なる外部の端末管理装置と通信可能に接続され、前記端末管理装置が前記カラオケ装置の設置場所の変更を把握できるように、予め前記記憶手段に記憶された接続番号と前記場所データ取得手段により取得された接続番号とが異なると前記情報処理実行手段が判断した場合に前記取得された接続番号を前記端末管理装置へ送信する対管理装置通信手段と
を設けたことを特徴とするカラオケ装置。
【請求項２】
前記端末管理装置が複数存在する場合において、前記ホスト装置から送信されてくる情報には該複数の管理装置のうちのどの端末管理装置へ前記接続番号を送信するべきかの識別情報が含まれており、
前記対管理装置通信手段は、前記対ホスト通信手段に受信された前記識別情報に基づき前記場所データに相当する接続番号を前記端末管理装置へ送信する
ことを特徴とする請求項１記載のカラオケ装置。
【請求項３】
前記場所データ取得手段は、前記通信回線から前記対ホスト通信手段に通知された前記接続番号を取得する
ことを特徴とする請求項１または２記載のカラオケ装置。
【請求項４】
前記ホスト装置は、前記対ホスト通信手段と接続番号を通知可能な通信回線を介して接続され、その通知された接続番号を取得して前記対ホスト通信手段に送信可能であり、
前記場所データ取得手段は、前記ホスト装置から送信される前記接続番号を前記場所データとして取得することを特徴とする請求項１または２記載のカラオケ装置。
【請求項５】
請求項１〜３のいずれか記載のカラオケ装置と、
利用者に提供する曲情報を記憶するホスト側記憶手段と、該曲情報を前記カラオケ装置に送出する通信手段とを備え、前記カラオケ装置と通信回線を介して接続されるホスト装置と、
前記ホスト装置とは異なり前記カラオケ装置から送信されてくる該カラオケ装置の設置場所に対応する場所データに相当する接続番号を含む端末管理情報を記憶する管理情報記憶手段を備える端末管理装置とを設けたことを特徴とするカラオケ通信システム。
【請求項６】
請求項２または請求項４に記載のカラオケ装置と、
複数の前記端末管理装置と、
前記カラオケ装置と接続番号を通知可能な通信回線を介して接続され、そこから通知された前記接続番号を前記カラオケ装置の場所データに相当する接続番号として取得し、その取得した場所データに基づいて、どの前記端末管理装置へ該カラオケ装置が有する前記場所データを送信すべきかを指示する識別情報を前記カラオケ装置に指示する指示手段を備える前記ホスト装置と
を設けたことを特徴とするカラオケ通信システム。
【請求項７】
利用者に提供する曲情報を含む情報を記憶するホスト側記憶手段と、該情報を送出する通信手段とを備えるホスト装置と、
課金機能を有し、接続番号を通知可能な通信回線を介して前記ホスト装置から送信されてくる前記情報を受信する対ホスト通信手段と、該対ホスト通信手段により受信された前記情報を記憶する情報記憶手段と、前記記憶された情報に含まれる曲情報を用いて所定の再生処理を実行することにより、曲情報を利用者に利用可能とする情報処理実行手段とを備えるカラオケ装置と、
前記ホスト装置とは異なり前記カラオケ装置の設置場所に対応する場所データに相当する接続番号を含む端末管理情報を記憶する管理情報記憶手段を備える端末管理装置とを含むカラオケ通信システムにおいて、
前記ホスト装置に、前記カラオケ装置との通信によって前記通信回線を介して取得される接続番号を、予め前記管理情報記憶手段に記憶された接続番号と前記取得取得手段により取得された接続番号とが異なると判断した場合に前記取得された場所データに相当する接続番号を該場所データに基づいて選択される前記端末管理装置に通知する通知手段を設けたことを特徴とするカラオケ通信システム。
【請求項８】
前記カラオケ装置に、
該カラオケ装置の設置場所に対応する場所データに相当する接続番号を取得する場所データ取得手段と、
該取得された場所データを前記ホスト装置に送信する場所データ送信手段とを設けたことを特徴とする請求項７記載のカラオケ通信システム。
【発明の詳細な説明】
【０００１】
【産業上の利用分野】
本発明は、カラオケ装置およびカラオケ通信システムに関する。
【０００２】
【従来の技術】
従来、ホスト装置から送信されてくる情報を受信する対ホスト通信手段と、該対ホスト通信手段により受信された情報を記憶する情報記憶手段と、この情報を用いて所定の処理を実行可能な情報処理実行手段とを有する情報処理装置があり、例としてホスト装置から通信回線を介して送信されてくるカラオケ曲情報を使用するカラオケ装置や同様に送信されてくるゲームプログラムを使用するビデオゲーム機等が挙げられる。
【０００３】
例えばホスト装置からカラオケ曲情報を配信される通信方式のカラオケ装置では、カラオケ曲情報の配信に対して対価が支払われるのが普通で、この集金は例えばある地域毎に配置されている特約店等により行われることが多かった。この特約店等は、集金の他に例えばカラオケ装置を設置している店舗等へのカラオケ装置の使用マニュアル、歌本、新譜情報等の配布、機器のメンテナンス等をホスト装置の設置者から委託されている。
【０００４】
【発明が解決しようとする課題】
しかしながら、このようなカラオケ装置は、所有権の移転等に伴って設置場所が移動されることがあり、ときには転々と移動させられる場合もある。
このようにカラオケ装置の設置場所が変更された場合に、カラオケ装置の所有者あるいは管理者等がその設置場所の変更をホスト装置ないしホスト装置の管理者側に通知しなければ、ホスト装置の管理者側でカラオケ装置の設置場所の変更を知ることができなかった。
【０００５】
ホスト装置の管理者側でカラオケ装置の設置場所を正確に把握できないと、例えば特約店等によるカラオケ曲情報の対価の回収、カラオケ装置の使用マニュアル、歌本、新譜情報等の配布、メンテナンス等のサービスも困難であった。
こうした通信端末となるカラオケ装置の設置場所をホスト装置の管理者側で正確に把握する必要があるのは、カラオケ装置以外の情報処理装置においても同様であった。
【０００６】
本発明は、上述した問題点を解決するためになされたものであり、カラオケ装置の設置場所を、メンテナンス等のサービスを委託されている特約店等で正確に把握することを可能とするカラオケ装置およびそのカラオケ装置を含むカラオケ通信システムを提供することを目的としている。
【０００７】
【課題を解決するための手段】
上記課題を解決するための手段として、請求項１記載のカラオケ装置は、課金機能を有し、接続番号を通知可能な通信回線を介して接続されるホスト装置から送信されてくる曲情報を含む情報を受信する対ホスト通信手段と、該対ホスト通信手段により受信された前記情報を記憶する情報記憶手段と、前記記憶された情報に含まれる曲情報を用いて所定の再生処理を実行することにより、曲情報を利用者に利用可能とする情報処理実行手段とを有するカラオケ装置において、該カラオケ装置の設置場所に対応する場所データに相当する接続番号を前記通信回線を介して取得する場所データ取得手段と、前記ホスト装置とは異なる外部の端末管理装置と通信可能に接続され、前記端末管理装置が前記カラオケ装置の設置場所の変更を把握できるように、予め前記記憶手段に記憶された接続番号と前記場所データ取得手段により取得された接続番号とが異なると前記情報処理実行手段が判断した場合に前記取得された接続番号を前記端末管理装置へ送信する対管理装置通信手段とを設けたことを特徴とする。
【０００８】
請求項２記載のカラオケ装置は、請求項１記載のカラオケ装置において、前記端末管理装置が複数存在する場合において、前記ホスト装置から送信されてくる情報には該複数の管理装置のうちのどの端末管理装置へ前記接続番号を送信するべきかの識別情報が含まれており、前記対管理装置通信手段は、前記対ホスト通信手段に受信された前記識別情報に基づき前記場所データに相当する接続番号を前記端末管理装置へ送信することを特徴とする。
【０００９】
請求項３記載のカラオケ装置は、請求項１または２記載のカラオケ装置において、前記場所データ取得手段が、前記通信回線から前記対ホスト通信手段に通知された前記接続番号を取得することを特徴とする。
【００１０】
請求項４記載のカラオケ装置は、請求項１または２記載のカラオケ装置において、前記ホスト装置が、前記対ホスト通信手段と接続番号を通知可能な通信回線を介して接続され、その通知された接続番号を取得して前記対ホスト通信手段に送信可能であり、前記場所データ取得手段が、前記ホスト装置から送信される前記接続番号を前記場所データとして取得することを特徴とする。
【００１１】
請求項５記載のカラオケ通信システムは、請求項１〜３のいずれか記載のカラオケ装置と、利用者に提供する曲情報を記憶するホスト側記憶手段と、該曲情報を前記カラオケ装置に送出する通信手段とを備え、前記カラオケ装置と通信回線を介して接続されるホスト装置と、前記ホスト装置とは異なり前記カラオケ装置から送信されてくる該カラオケ装置の設置場所に対応する場所データに相当する接続番号を含む端末管理情報を記憶する管理情報記憶手段を備える端末管理装置とを設けたことを特徴とする。
【００１２】
請求項６記載のカラオケ通信システムは、請求項２または請求項４に記載のカラオケ装置と、複数の前記端末管理装置と、前記カラオケ装置と接続番号を通知可能な通信回線を介して接続され、そこから通知された前記接続番号を前記カラオケ装置の場所データに相当する接続番号として取得し、その取得した場所データに基づいて、どの前記端末管理装置へ該カラオケ装置が有する前記場所データを送信すべきかを指示する識別情報を前記カラオケ装置に指示する指示手段を備える前記ホスト装置とを設けたことを特徴とする。
【００１３】
請求項７記載のカラオケ通信システムは、利用者に提供する曲情報を含む情報を記憶するホスト側記憶手段と、該情報を送出する通信手段とを備えるホスト装置と、課金機能を有し、接続番号を通知可能な通信回線を介して前記ホスト装置から送信されてくる前記情報を受信する対ホスト通信手段と、該対ホスト通信手段により受信された前記情報を記憶する情報記憶手段と、前記記憶された情報に含まれる曲情報を用いて所定の再生処理を実行することにより、曲情報を利用者に利用可能とする情報処理実行手段とを備えるカラオケ装置と、前記ホスト装置とは異なり前記カラオケ装置の設置場所に対応する場所データに相当する接続番号を含む端末管理情報を記憶する管理情報記憶手段を備える端末管理装置とを含むカラオケ通信システムにおいて、前記ホスト装置に、前記カラオケ装置との通信によって前記通信回線を介して取得される接続番号を、予め前記管理情報記憶手段に記憶された接続番号と前記取得取得手段により取得された接続番号とが異なると判断した場合に前記取得された場所データに相当する接続番号を該場所データに基づいて選択される前記端末管理装置に通知する通知手段を設けたことを特徴とする。
【００１４】
請求項８記載のカラオケ通信システムは、請求項７記載のカラオケ通信システムにおいて、前記カラオケ装置に、該カラオケ装置の設置場所に対応する場所データに相当する接続番号を取得する場所データ取得手段と、該取得された場所データを前記ホスト装置に送信する場所データ送信手段とを設けたことを特徴とする。
【００１５】
【作用】
上記の構成になる請求項１記載のカラオケ装置においては、場所データ取得手段はカラオケ装置の設置場所に対応する場所データに相当する接続番号を通信回線を介して取得し、対管理装置通信手段は、ホスト装置とは異なる外部の端末管理装置と通信可能に接続され、その端末管理装置がカラオケ装置の設置場所の変更を把握できるように、予め記憶手段に記憶された接続番号と場所データ取得手段により取得された接続番号とが異なると情報処理実行手段が判断した場合に取得された場所データを端末管理装置へ送信する。
【００１６】
カラオケ装置自身がその設置場所に対応する場所データに相当する接続番号を端末管理装置に送信してくるので、端末管理装置を例えばメンテナンス等のサービスを委託されている特約店等に設置しておけば、特約店等ではカラオケ装置の設置場所を正確に把握できる。また、設置場所の変動は、高確率で所有者、管理者等の変動を伴うので、所有者ないし管理者に変動があったことも推定できる。
【００１７】
なお、場所データとしては、例えばカラオケ装置の設置場所となっている建物等を特定できれば十分であり、場所データ取得手段の構成等に特に限定はないが、ＧＰＳ（グローバルポジショニングシステム）や接続番号を利用する手法が例示される。なお、接続番号としては公衆電話回線の電話番号が例示される。
【００１８】
請求項２記載のカラオケ装置においては、端末管理装置が複数存在する場合にホスト装置から送信されてくる情報には該複数の管理装置のうちのどの端末管理装置へ接続番号を送信するべきかの識別情報が含まれており、対管理装置通信手段は、前記対ホスト通信手段に受信された識別情報に基づき場所データに相当する接続番号を端末管理装置へ送信する。カラオケ装置に、場所データを送信すべき端末管理装置を決定するためのデータ等を記憶する必要がないので、カラオケ装置の記憶容量を節約することができる。
【００１９】
請求項３記載のカラオケ装置においては、場所データ取得手段は、通信回線から前記対ホスト通信手段に通知された接続番号を取得する。
カラオケ装置が接続される通信回線の接続番号は、きわめて高い確率で設置場所を特定できる。
【００２０】
また、カラオケ装置が接続された接続番号は、通信回線側からカラオケ装置に与えられるので、場所データ取得手段が接続番号を得るに当たって特別な障害はなく、そのために特別な構造も要求されない。
このように、設置場所に対応する場所データとして接続番号を使用すれば、構造的に複雑化することなくきわめて正確に設置場所を特定できる。
【００２１】
請求項４記載のカラオケ装置においては、ホスト装置は、対ホスト通信手段と接続番号を通知可能な通信回線を介して接続され、その通知された接続番号を取得して対ホスト通信手段に送信可能であり、場所データ取得手段は、ホスト装置から送信される接続番号を場所データとして取得するから、カラオケ装置側に、接続番号を検出するための機構を備える必要がないので、装置構成を簡素化できる。また、カラオケ装置が接続された接続番号は、通信回線側からホスト装置に与えられるので、ホスト装置が接続番号を得るに当たって特別な障害はなく、そのために特別な構造も要求されない。
【００２２】
請求項５記載のカラオケ通信システムにおいては、ホスト装置に備えられているホスト側記憶手段は利用者に提供する情報を記憶し、通信手段はその情報をカラオケ装置に送出する。カラオケ装置は上述のとおりに作用する。ホスト装置とは異なる端末管理装置に備えられた管理情報記憶手段は、カラオケ装置から送信されてくるカラオケ装置の設置場所に対応する場所データに相当する接続番号を含む端末管理情報を記憶する。
【００２３】
カラオケ装置自身がその設置場所に対応する場所データを端末管理装置に送信してくるので、端末管理装置を例えばメンテナンス等のサービスを委託されている特約店等に設置しておけば、特約店等ではカラオケ装置の設置場所を正確に把握できる。また、設置場所の変動は、高確率で所有者、管理者等の変動を伴うので、所有者ないし管理者に変動があったことも推定できる。
【００２４】
請求項６記載のカラオケ通信システムにおいては、ホスト装置に備えられる指示手段が、カラオケ装置と接続番号を通知可能な通信回線を介して接続され、そこから通知された接続番号をカラオケ装置の場所データに相当する接続番号として取得し、その取得した場所データに基づいて、どの端末管理装置へ該カラオケ装置が有する場所データを送信すべきかを指示する識別情報をカラオケ装置に指示する。カラオケ装置では、対管理装置通信手段が、対ホスト通信手段に受信された識別情報に基づき場所データに相当する接続番号を端末管理装置へ送信する。
【００２５】
カラオケ装置に、接続番号を送信すべき端末管理装置を決定するためのデータ等を記憶する必要がないので、カラオケ装置の記憶容量を節約することができる。
請求項７記載のカラオケ通信システムにおいては、ホスト装置に設けられる通知手段が、カラオケ装置との通信によって取得される場所データに相当する接続番号を、予め管理情報記憶手段に記憶された接続番号と取得取得手段により取得された接続番号とが異なると判断した場合に取得された場所データに相当する接続番号を該場所データに基づいて選択される端末管理装置に通知する。なお、カラオケ装置との通信によって取得されるとは、カラオケ装置から送信されてくる場合や、請求項４の作用で述べたように、通信に当たって通信回線側からホスト装置に与えられるカラオケ装置が接続された接続番号を場所データとして取得する場合等がある。
【００２６】
ホスト装置とは異なる端末管理装置に備えられた管理情報記憶手段は、場所データに相当する接続番号を含む端末管理情報を記憶する。
端末管理装置を例えばメンテナンス等のサービスを委託されている特約店等に設置しておけば、特約店等ではカラオケ装置の設置場所を正確に把握できる。また、設置場所の変動は、高確率で所有者、管理者等の変動を伴うので、所有者ないし管理者に変動があったことも推定できる。
【００２７】
カラオケ装置に、端末管理装置との通信を実行する手段やその通信を制御する手段を設ける必要がないので、カラオケ装置の構成を簡素化できる。
請求項８記載のカラオケ通信システムにおいては、カラオケ装置に設けられる場所データ取得手段は、カラオケ装置の設置場所に対応する場所データに相当する接続番号を取得可能であり、場所データ送信手段は、その場所データに相当する接続番号をホスト装置に送信する。ホスト装置は、接続番号を自身で得る必要はなく、そのための機構も不要となる。
【００２８】
【実施例】
以下、本発明を具体化した一実施例を図面を参照して説明する。
図１は、実施例の情報通信システムの概略構成図、図２はそのシステムの構成要素であるカラオケ装置の構成を示すブロック図、図３は同システムの管理センタとなる情報センタの構成を示すブロック図、図４はカラオケ装置の所有者や管理者にメンテナンス等のサービスを提供するためにある地域毎に配置されている特約店等に設置されている端末管理装置の構成を示すブロック図である。
【００２９】
図１に示すように、本情報通信システムは、本発明におけるホスト装置に相当する情報センタ１と本発明の情報処理装置に相当する複数のカラオケ装置１０および複数の端末管理装置２０とが、課金通信網５を介して接続されて構成されている。なお、カラオケ装置１０並びに端末管理装置２０は通信回線としての公衆電話回線６の端末として課金通信網５に接続されている。
【００３０】
続いて、図３を参照して情報センタ１の構成を説明する。
情報センタ１は、制御手段であり請求項６記載の指示手段および請求項７記載の通知手段としてのホストコンピュータ５１、請求項５および７に記載のホスト側記憶手段に相当する記憶装置５３、入力手段としての入力装置５５、請求項５および７に記載の通信手段としての通信制御装置５７、プリンタ５９、ＣＲＴ６１とを備えている。記憶装置５３は、ホストコンピュータ５１が作動するための各種制御プログラム、各カラオケ装置１０からの要求に応じて送信するためのカラオケ曲情報、各端末管理装置２０が接続されている通信回線としての公衆電話回線６の接続番号としての電話番号、各端末管理装置２０とその分担区域とをリンクさせた区域テーブル、各端末管理装置２０とこれに管理を割り当てられているカラオケ装置１０のＩＤ番号とをリンクさせた管理テーブル、各カラオケ装置１０毎の課金情報、各カラオケ装置１０毎および各端末管理装置２０毎の各種の管理用情報等を記憶するためのものである。なお、本実施例では分担区域は公衆電話回線６の局番を利用して区分されており、例えば市外局番０３で市内局番が２ＸＸＸは端末管理装置２０Ａの分担区域、市外局番０３で市内局番が３ＸＸＸは端末管理装置２０Ｂの分担区域のように記述される。
【００３１】
入力装置５５からはホストコンピュータ５１に対して各種指令を入力することができ、例えば、記憶装置５３に記憶された各端末管理装置２０の分担区域毎の各種サービス状況一覧等を作成させることや、それを出力手段としてのプリンタ５９に出力させて印刷させること、表示手段としてのＣＲＴ６１に出力させて画面表示させること等ができる。
【００３２】
課金通信網５は、例えば日本電信電話(株)のビデオテックス通信網やダイヤルＱ２通信網のように、伝送する情報に対する情報料をその情報の受信者（正確には受信装置が接続されている回線の使用契約者）に対して課金する機能を持つものである。ダイヤルＱ２通信網は基本的に時間単位の従量計算であり、ビデオテックス網は、情報の内容毎に任意の料金を設定可能であり、いわゆるキャプテンシステム等に用いられている。
【００３３】
その課金機能の一例として、ビデオテックス通信網について説明すると、ビデオテックス通信網は、具体的には例えば各カラオケ装置１０に接続された公衆電話回線６とビデオテックス通信処理装置（ＶＣＰ）とで構成されている。このＶＣＰが、ビデオテックス通信網にアクセスしようとしている公衆電話回線６（現状としては特番１６６と５桁の情報センタ番号をダイヤルした公衆電話回線６）の情報センタ１への接続・交換、利用者端末であるカラオケ装置１０の管理及び情報センタ１への加入者管理、通信料及び電話会社が代理徴収する情報使用料の課金、カラオケ装置１０と情報センタ１との間の会話制御、プロトコル変換やコード／パターン変換などの変換処理等の通信処理機能を提供する。また、課金通信網５は、カラオケ装置１０が接続されている公衆電話回線６の電話番号をカラオケ装置１０自身およびその通信相手となる情報センタ１並びに端末管理装置２０に通知することもできる。
【００３４】
次に図４を参照して端末管理装置２０の構成について説明する。
端末管理装置２０は、制御手段としての中央制御装置２１、記憶手段であり請求項５および７に記載の管理情報記憶手段に相当する記憶装置１３、入力手段としての入力装置１２、通信手段としての通信制御装置１７、プリンタ１４、ＣＲＴ１５とを備えている。
【００３５】
記憶装置１３は、中央制御装置２１が作動するための各種制御プログラム、各カラオケ装置１０毎の管理情報やサービス実績等を記憶するためのものである。本実施例では、管理情報としては各カラオケ装置１０のシリアルナンバー、接続されている公衆電話回線６の電話番号、所有者の名称、設置場所や所有者の住所等が含まれている。
【００３６】
入力装置１２からは中央制御装置２１に対する各種指令を入力することができ、例えば、端末管理装置２０が管理している各カラオケ装置１０毎の利用状況や各種サービス状況等を記憶装置１３から読み出してそれらの表を作成させることや、その表を出力手段としてのプリンタ１４に出力させて印刷させること、表示手段としてのＣＲＴ１５に出力させて画面表示させること等ができる。
【００３７】
次に、カラオケ装置１０の構成について説明する。
図２に示すように、中央制御装置３１には後述するスクランブル解除キーを情報センタ１から受信するための通信において実行される課金通信プログラム３１ａが格納されており、中央制御装置３１はこの課金通信プログラム３１ａに従って情報センタ１と通信できる。また、中央制御装置３１には、カラオケ曲情報を始めとする各種のデータや中央制御装置３１の作動プログラムを記憶する、本発明の情報記憶手段に相当するハードディスク３３が接続されている。
【００３８】
中央制御装置３１はハードディスク３３に記憶されている作動プログラムに従って、カラオケ演奏のための処理やそれに付随するさまざまな処理を実行できる。すなわち、中央制御装置３１が、本発明の情報処理実行手段に相当している。また、中央制御装置３１は、本発明の場所データ取得手段としても機能するが、その詳細については後述する。
【００３９】
この中央制御装置３１には、各種指示入力を行うための入力手段としての多目的入力キー３２、本発明の対ホスト通信手段並びに対管理装置通信手段および請求項８に記載の場所データ送信手段となる通信制御装置２７、中央制御装置３１と共働して本発明の情報処理実行手段として機能する音声再生回路３５並びに画面表示制御装置２６が接続されている。
【００４０】
音声再生回路３５は、中央制御装置３１によりハードディスク３３から読み出されて転送されるカラオケ曲情報に含まれる演奏情報に基づいてアナログの演奏信号を合成しミキサアンプ３８に出力することができる。また、音声再生回路３５に接続されたミキサアンプ３８にはスピーカ４１とマイクロフォン４３が接続されており、ミキサアンプ３８は音声再生回路３５からの演奏信号とマイクロフォン４３から入力される歌唱信号とをミキシングし、増幅してスピーカ４１に出力できる。スピーカ４１はミキサアンプ３８からの電気信号を音声出力できる。
【００４１】
画面表示制御装置２６は、カラオケ曲情報に含まれる歌詞情報により歌詞表示用信号を再生し、図示しない映像ソース（例えばレーザディスクプレーヤ等）から送られてくる背景映像信号と歌詞表示用信号とを合成（スーパーインポーズ）して表示手段としてのテレビモニタ２９に出力し、背景映像に歌詞字幕が重ねられた状態で表示させることができる。
【００４２】
なお、前記ハードディスク３３には予め数千曲程度のカラオケ曲情報が記憶されており、さらに、情報センタ１より新曲のカラオケ曲情報（以下、新曲データともいう）を受信して、このハードディスク３３に記憶させることができる。また、１曲分のカラオケ曲情報は、曲同士を識別するための情報である曲番号情報と、実体情報とから構成されている。この内の実体情報は、伴奏音楽の情報であるＭＩＤＩ（Musical Instrument Digital Interface）規格の演奏情報および歌詞を符号化した歌詞情報からなっている。なお、本実施例ではそのように構成されていないが、カラオケ曲情報の実体情報には、動画映像を表示するための背景映像情報が含まれることもある。
【００４３】
ただし、新曲データは例えばスクランブル処理等が施されておりそのままでは使用できないようにされている。使用するためには、通信制御装置２７および課金通信網５を介して情報センタ１に接続して、情報センタ１からスクランブル解除キーを受信する必要がある。この際中央制御装置３１が課金通信プログラム３１ａを実行し、情報センタ１が課金通信網５を介してスクランブル解除キーを送信すると、課金通信網５による課金機能を利用した所定の課金処理が行われる。カラオケ装置１０では、中央制御装置３１が受信したスクランブル解除キーを使用して新曲データのスクランブル処理を解除して使用可能なカラオケ曲情報とできる。
【００４４】
この新曲データを使用可能なカラオケ曲情報にする処理について、新曲データにスクランブル処理が施されている場合を例に挙げて図５に従って説明する。
中央制御装置３１は、情報センタ１から送信されてきた新曲データを受信してハードディスク３３に記憶させた後、通信制御装置２７を介して情報センタ１に対して発呼する。続いて、中央制御装置３１は、情報センタ１への着呼を待って、自身を識別するＩＤ番号を発信する。
【００４５】
情報センタ１では、カラオケ装置１０からのＩＤ番号を受け取ると、ホストコンピュータ５１が端末照合を行い、情報センタ１に登録されているカラオケ装置１０であれば、照合正常としてＩＤ確認信号を返送する。
ＩＤ確認信号を受信すると、中央制御装置３１は、課金通信プログラム３１ａに従って、新曲データのスクランブル解除キー（課金情報）送信の要求を情報センタ１に送信する。つまり、中央制御装置３１は、新曲データのスクランブル解除キーとなる課金情報の送信を要求すると同時に課金処理を要求することになる。
【００４６】
情報センタ１では、スクランブル解除キーの送信要求（課金処理要求）を受信すると、ホストコンピュータ５１が、予め設定されているスクランブル解除キー（課金情報）を通信制御装置５７を介してカラオケ装置１０側に送信させる。情報センタ１からのスクランブル解除キーの送信がなされると、このスクランブル解除キーの送信に対して予め設定されている料金が、課金通信網５によって、カラオケ装置１０が接続されている公衆電話回線６の加入契約者に対して課金される。この料金は、電話回線使用料と合わせて代理徴収され、手数料等を控除されてから情報センタ１の設置者に引き渡される。
【００４７】
カラオケ装置１０の中央制御装置３１は、スクランブル解除キーを受信すると、情報センタ１に通信切断要求を発信する。情報センタ１は、この要求を受信するとカラオケ装置１０との通信を終了する。また、カラオケ装置１０の中央制御装置３１は、通信切断要求の発信後、受信したスクランブル解除キーを使用して上述した新曲データのスクランブルを解除して使用可能なカラオケ曲情報とする。
【００４８】
こうした処理がなされて新曲のカラオケ曲情報が使用できるようになり（新曲データ以外はすでに使用可能である）、利用者が多目的入力キー３２あるいは図示しないリモコン等を操作することで歌いたい曲を選択すると、中央制御装置３１は、所定のカラオケ演奏プログラムに従ってカラオケ演奏処理を実行する。それを簡単に説明すると、中央制御装置３１は、選択された曲に対応する演奏情報および歌詞情報をハードディスク３３から読み出し、演奏情報は音声再生回路３５に、歌詞情報は画面表示制御装置２６にそれぞれ転送する。
【００４９】
音声再生回路３５では、演奏情報に基づいてアナログの演奏信号を合成し、ミキサアンプ３８に出力する。ミキサアンプ３８では、演奏信号とマイクロフォン４３を介して入力される利用者の歌唱信号とを適度な割合でミキシングし、スピーカ４１に出力する。スピーカ４１は、ミキシングされた音声信号を演奏音として外部出力する。
【００５０】
一方、画面表示制御装置２６は、歌詞情報により歌詞表示用信号を再生し、図示しない映像ソース（例えばレーザディスクプレーヤ等）から送られてくる背景映像信号と歌詞表示用信号とを合成（スーパーインポーズ）してテレビモニタ２９に出力し、背景映像に歌詞字幕が重ねられた状態で表示させることができる。
【００５１】
次に、情報センタ１との通信がなされる毎にカラオケ装置１０で実行される電話番号の照合処理について、図６を参照して説明する。
図６に示すように、電話番号の照合処理では、中央制御装置３１は、通信制御装置２７を介して課金通信網５に接続する（Ｓ１）。続いて、中央制御装置３１は、課金通信網５からカラオケ装置１０に送信される接続中の（つまりカラオケ装置１０が接続されている）公衆電話回線６の電話番号を受信する（Ｓ２）。続いて、中央制御装置３１は、ハードディスク３３に記憶されている電話番号とＳ２で受信した電話番号とを照合する（Ｓ３）。この照合によって両者が整合すれば（Ｓ４でＹＥＳ）、中央制御装置３１は、このルーチンの処理を終了する。
【００５２】
一方、照合の結果、両電話番号が不一致であれば（Ｓ４でＮＯ）、中央制御装置３１は、ハードディスク３３に指示して、新電話番号（今回の通信で使用された公衆電話回線６の電話番号）を記憶させる（Ｓ５）。続いて、中央制御装置３１は、新電話番号を情報センタ１に送信する（Ｓ６）。
【００５３】
情報センタ１のホストコンピュータ５１は、カラオケ装置１０から電話番号を送信されると、これに起因して図７に示される通知ルーチンを開始する。
図７に示すように、ホストコンピュータ５１は、記憶装置５３に記憶されている区域テーブルを検索して、カラオケ装置１０から受信した電話番号の局番を分担区域とする端末管理装置２０を特定する（Ｓ１１）。続いて、ホストコンピュータ５１は、記憶装置５３からＳ１１で特定された端末管理装置２０が接続されている公衆電話回線６の電話番号を読み出し、通信制御装置５７を通してこの電話番号をカラオケ装置１０に送信する（Ｓ１２）。さらに、ホストコンピュータ５１は、電話番号を送信してきたカラオケ装置１０の管理を割り当てられていた端末管理装置２０の割当から該当のカラオケ装置１０のＩＤ番号を削除してＳ１１で特定された端末管理装置２０の割当として該当のカラオケ装置１０のＩＤ番号を追加する指示を記憶装置５３に出して管理テーブルを更新させる（Ｓ１３）。
【００５４】
ここで図６の説明に戻る。
Ｓ７では、カラオケ装置１０の中央制御装置３１は、上述のＳ１２（図７参照）において情報センタ１から送信される端末管理装置２０の電話番号を受信して、このルーチンを終了する。なお、図示は省略しているが、このルーチンの処理の後、カラオケ装置１０の中央制御装置３１は、例えばカラオケ装置１０の稼動実績の送信、前述した新曲データの送信を要求し受信する等、今回の通信の目的に応じた情報の送受を実行してから情報センタ１との通信を終了する。
【００５５】
次に、図８（ａ）に示すように、カラオケ装置１０の中央制御装置３１は、通信制御装置２７を通して新たな端末管理装置２０にアクセスし、カラオケ装置１０のＩＤ番号と電話番号とを送信する（Ｓ８）。
一方、図８（ｂ）に示すように、カラオケ装置１０からアクセスされた端末管理装置２０では、中央制御装置２１が、通信制御装置１７を通してカラオケ装置１０から送信されてくるＩＤ番号と電話番号とを受信し、これらを記憶装置１３に管理情報として記憶させる（Ｓ９）。
【００５６】
このようにして、カラオケ装置１０の電話番号の変更に伴う各種の処理が終了する。
ここで図６のＳ４で否定判断となったときにＳ５〜Ｓ７の処理を実行する理由について説明する。
【００５７】
Ｓ４で否定判断となるのは、このカラオケ装置１０はかつて接続されていた公衆電話回線６の電話番号（ハードディスク３３に記憶されている電話番号）と今回の通信に当たって接続された公衆電話回線６の電話番号（課金通信網５から送信されてきた電話番号）とが異なるわけで、これはカラオケ装置１０の設置場所が変更されたとみなせる。また、設置場所の変動は高確率で所有者、管理者等の変動と連動している。したがって、カラオケ装置１０が接続される電話番号の変更をもって所有者、管理者等の変更とみて差し支えない。
【００５８】
従来、カラオケ装置１０の設置場所が変更された場合に、カラオケ装置１０の所有者あるいは管理者等がその設置場所の変更を情報センタ１ないし情報センタ１の管理者側に通知しなければ情報センタ１の管理者側でカラオケ装置１０の設置場所の変更を知ることができなかったが、上述のようにカラオケ装置１０が接続された電話番号に変更があると、カラオケ装置１０から情報センタ１に新電話番号が送信されてくるので、情報センタ１側で所有者ないし管理者の変更があったことを推定できる。また、この電話番号からカラオケ装置１０の設置場所を推定することも可能で、情報センタ１の管理者側でカラオケ装置１０の設置場所を正確に把握できる。
【００５９】
また、カラオケ装置１０は、新たにカラオケ装置１０の管理を割り当てられる端末管理装置２０に対してもＩＤ番号と電話番号を送信するので、この端末管理装置２０の管理者例えば特約店等では、新しい顧客が増えたことを容易に知ることができる。したがって、この特約店等では、カラオケ装置１０の電話番号から設置場所の住所等を調べて、マニュアル、歌本、新譜情報等を配布することや定期的に設置場所に出向いたりすることが可能となり、新規の顧客に対して各種のサービスを適切に提供することができる。
【００６０】
この設置場所を特定するためのデータとなる電話番号は、課金通信網５からカラオケ装置１０に通知されるので、電話番号を取得するための特別な機構をカラオケ装置１０に備える必要がない。
なお、以上の説明から明かなように、この実施例では、電話番号が本発明の場所データに該当している。
（変形例１）
上述の例は、カラオケ装置１０が課金通信網５から電話番号を取得する構成としているが、この電話番号を情報センタ１側で取得してカラオケ装置１０に通知する構成も可能である。
【００６１】
その一例を示すと、ホストコンピュータ５１の記憶装置５３に各カラオケ装置１０のＩＤ番号と電話番号とをリンクさせたＩＤ／電話番号テーブルを記憶させておく。
ホストコンピュータ５１は、上述のようにカラオケ装置１０が課金通信網５を介して送信してくるＩＤ番号を受信し、併せてカラオケ装置１０の電話番号を課金通信網５から取得する。次にホストコンピュータ５１は、受信したＩＤ番号および電話番号をＩＤ／電話番号テーブルのＩＤ番号および電話番号と照合し、一致していなければ、不一致である旨と併せて新しい電話番号をカラオケ装置１０に送信すると共にＩＤ／電話番号テーブルの電話番号を新たな電話番号（今回の通信に使用された公衆電話回線の電話番号）に更新する。
【００６２】
さらに、ホストコンピュータ５１は、上述の例と同様に、区域テーブルを検索してこのカラオケ装置１０を管理させる端末管理装置２０を特定し、この端末管理装置２０が接続されている公衆電話回線６の電話番号を読み出し、この電話番号をカラオケ装置１０に送信すると共に、このカラオケ装置１０の管理の変更を反映した内容に管理テーブルを更新させる。
【００６３】
カラオケ装置１０は、新しい電話番号を受信すると、上述と同様にハードディスク３３に記憶してから、新たな端末管理装置２０にカラオケ装置１０のＩＤ番号と電話番号とを送信する。新たな端末管理装置２０は、カラオケ装置１０から送信されてくるＩＤ番号と電話番号とを受信し、これらを管理情報として記憶する。
【００６４】
このように構成すれば、カラオケ装置１０に、電話番号を検出するための機構を備える必要がないので、装置構成を簡素化できる。なお、この変形例では、情報センタ１、特にそのホストコンピュータ５１が、請求項４に記載のホスト装置に該当している。
（変形例２）
実施例および変形例１はカラオケ装置１０が新たな端末管理装置２０に電話番号（場所データ）を通知する構成としているが、実施例のようにカラオケ装置１０から新しい電話番号が送信された場合、あるいは変形例１のようにホストコンピュータ５１自身が電話番号の変更を認識した場合に、ホストコンピュータ５１が、カラオケ装置１０の電話番号を端末管理装置２０に直接通知する構成も可能である。このように構成すれば、カラオケ装置１０には端末管理装置２０との通信を実行するための構成は不要となる。
【００６５】
この変形例２の構成では、情報センタ１のホストコンピュータ５１が、通信制御装置５７と共働して請求項７に記載の通知手段として機能することになる。また、カラオケ装置１０から情報センタ１に新しい電話番号を送信する構成では、通信制御装置２７が請求項８に記載の場所データ送信手段として機能する。
【００６６】
なお、実施例や変形例１、２のように、課金通信網５を利用する構成であれば、端末管理装置２０から、課金通信網５を介してカラオケ装置１０に課金情報を送信することにより、メンテナンス等のサービス料金をカラオケ装置１０の所有者に課金することができる。また、端末管理装置２０とカラオケ装置１０または情報センタ１との通信は、例えば公衆電話回線６や他の通信回線により、課金通信網５を介さずに実施される構成とすることもできる。
【００６７】
以上、実施例および変形例１、２に従って、本発明について説明したが、本発明はこれらの実施例等に限定されるものではなく、本発明の要旨を逸脱しない範囲でさまざまに実施できることは言うまでもない。
例えば、実施例および変形例では電話番号をもって場所データとしているが、情報処理装置の設置場所を特定可能な場所データは、これに限定されるものではなく、例えばＧＰＳ（グローバルポジショニングシステム）を利用して得られる座標を場所データとする等も可能である。
【００６８】
また、情報処理装置も、実施例および変形例のカラオケ装置に限定されるわけではない。
さらに、通信回線は、実施例に示した公衆電話回線に限るものではなく、ＩＳＤＮ等のディジタル回線を用いてもよい。
【００６９】
【発明の効果】
請求項１記載のカラオケ装置によれば、カラオケ装置自身がその設置場所に対応する場所データに相当する接続番号を端末管理装置に送信してくるので、端末管理装置を例えばメンテナンス等のサービスを委託されている特約店等に設置しておけば、特約店等ではカラオケ装置の設置場所を正確に把握できる。また、設置場所の変動は、高確率で所有者、管理者等の変動を伴うので、所有者ないし管理者に変動があったことも推定できる。
【００７０】
請求項２記載のカラオケ装置によれば、カラオケ装置に、場所データに相当する接続番号を送信すべき端末管理装置を決定するためのデータ等を記憶する必要がないので、カラオケ装置の記憶容量を節約することができる。
請求項３記載のカラオケ装置によれば、カラオケ装置が接続された電話番号は、通信回線側からカラオケ装置に与えられるので、場所データ取得手段が接続番号を得るに当たって特別な障害はなく、そのために特別な構造も要求されない。また、接続番号はきわめて高い確率で設置場所を特定できる。したがって、設置場所に対応する場所データとして接続番号を使用すれば、構造的に複雑化することなくきわめて正確に設置場所を特定できる。
【００７１】
請求項４記載のカラオケ装置によれば、カラオケ装置側に、接続番号を検出するための機構を備える必要がないので、装置構成を簡素化できる。また、カラオケ装置が接続された接続番号は、通信回線側からホスト装置に与えられるので、ホスト装置が接続番号を得るに当たって特別な障害はなく、そのために特別な構造も要求されない。
【００７２】
請求項５記載のカラオケ通信システムによれば、カラオケ装置自身がその設置場所に対応する場所データを端末管理装置に送信してくるので、端末管理装置を例えばメンテナンス等のサービスを委託されている特約店等に設置しておけば、特約店等ではカラオケ装置の設置場所を正確に把握できる。また、設置場所の変動は、高確率で所有者、管理者等の変動を伴うので、所有者ないし管理者に変動があったことも推定できる。
【００７３】
請求項６記載のカラオケ通信システムによれば、カラオケ装置に、場所データを送信すべき端末管理装置を決定するためのデータ等を記憶する必要がないので、カラオケ装置の記憶容量を節約することができる。
請求項７記載のカラオケ通信システムによれば、端末管理装置を例えばメンテナンス等のサービスを委託されている特約店等に設置しておけば、特約店等ではカラオケ装置の設置場所を正確に把握できる。また、設置場所の変動は、高確率で所有者、管理者等の変動を伴うので、所有者ないし管理者に変動があったことも推定できる。
【００７４】
カラオケ装置に、端末管理装置との通信を実行する手段やその通信を制御する手段を設ける必要がないので、カラオケ装置の構成を簡素化できる。
請求項８記載のカラオケ通信システムによれば、ホスト装置は、場所データを自身で得る必要はなく、そのための機構も不要となる。
【図面の簡単な説明】
【図１】実施例の情報通信システムの概略構成図である。
【図２】実施例の情報通信システムの構成要素であるカラオケ装置の構成を示すブロック図である。
【図３】実施例の情報通信システムの管理センタとなる情報センタの構成を示すブロック図である。
【図４】実施例の情報通信システムの構成要素である端末管理装置の構成を示すブロック図である。
【図５】実施例の情報通信システムにおいて情報センタとカラオケ装置との間で行われる通信のシーケンス図である。
【図６】実施例のカラオケ装置で実行される電話番号の照合処理のフローチャートである。
【図７】実施例の情報センタで実行される通知ルーチンのフローチャートである。
【図８】実施例のカラオケ装置と端末管理装置との情報の送受の説明図であり、図８（ａ）はカラオケ装置で実行される番号送信ルーチンのフローチャート、図８（ｂ）は端末管理装置で実行される番号受信ルーチンのフローチャートである。
【符号の説明】
１・・・情報センタ（ホスト装置）、５・・・課金通信網、６・・・公衆電話回線、１０・・・カラオケ装置（情報処理装置）、２０・・・端末管理装置、２１・・・中央制御装置、２６・・・画面表示制御装置（情報処理実行手段）、２７・・・通信制御装置（対ホスト通信手段、対管理装置通信手段、場所データ取得手段、場所データ送信手段）、３１・・・中央制御装置（情報処理実行手段、場所データ取得手段）、３１ａ・・・課金通信プログラム、３２・・・多目的入力キー、３３・・・ハードディスク（情報記憶手段）、３５・・・音声再生回路（情報処理実行手段）、５１・・・ホストコンピュータ（ホスト装置、指示手段、通知手段）、５３・・・記憶装置（ホスト側記憶手段）。
【図１】
0003569344.tif 000002
【図２】
0003569344.tif 000003
【図３】
0003569344.tif 000004
【図４】
0003569344.tif 000005
【図５】
0003569344.tif 000006
【図６】
0003569344.tif 000007
【図７】
0003569344.tif 000008
【図８】
0003569344.tif 000009